(57)【要約】【課題】折畳み式携帯端末の第１及び第２の筐体の開閉途中において、表示装置の表面を連続させながら、開閉操作をスムーズに行う。【解決手段】第１の表示装置２を有する第１の筐体３と、第２の表示装置４を有する第２の筐体５とを、ヒンジ部６を中心に折畳み開閉可能に接続する。このヒンジ部６により、第１の筐体３と第２の筐体５とを開閉する際に、側面視で、第１固定プレート７の表面側角部７ａ（第１の表示装置２の表面側角部）と、第２固定プレート８の表面側角部８ａ（第２の表示装置４の表面側角部）とを、互いに当接した状態でヒンジ部６に対して直線状の軌跡で移動させる。【選択図】図１
2011119830.tif 000002
【特許請求の範囲】
【請求項１】
第１の表示装置を有する第１の筐体と、第２の表示装置を有する第２の筐体とが、ヒンジ部を中心に折畳み開閉可能に接続された折畳み式携帯端末において、
上記ヒンジ部は、上記第１の筐体と第２の筐体とを開閉する際に、側面視で、上記第１の表示装置の表面側角部と、上記第２の表示装置の表面側角部とが、互いに当接した状態で該ヒンジ部に対して直線状の軌跡で移動するように、該第１の筐体と第２の筐体とを接続している
ことを特徴とする折畳み式携帯端末。
【請求項２】
請求項１に記載の折畳み式携帯端末において、
上記第１の表示装置の表面側角部と、上記第２の表示装置の表面側角部とは、上記第１の筐体と第２の筐体との全閉時において、所定の隙間を空けて配置される
ことを特徴とする折畳み式携帯端末。
【請求項３】
請求項１又は２に記載の折畳み式携帯端末において、
上記ヒンジ部は、
上記第１の筐体の対向する各側面にそれぞれ連結された第１及び第２ガイドピンと、
第１方向に延び、上記第１ガイドピンの移動軌跡を規制する第１ガイド孔及び該第１方向とは異なる第２方向に延び、上記第２ガイドピンの移動軌跡を規制する第２ガイド孔と、
上記第２の筐体の対向する各側面にそれぞれ連結された第３及び第４ガイドピンと、
第３方向に延び、上記第３ガイドピンの移動軌跡を規制する第３ガイド孔及び該第３方向とは異なる第４方向に延び、上記第４ガイドピンの移動軌跡を規制する第４ガイド孔とを備えている
ことを特徴とする折畳み式携帯端末。
【請求項４】
請求項３に記載の折畳み式携帯端末において、
上記ヒンジ部は、上記第１及び第２の筐体の対向するヒンジ部側端部の各側面をそれぞれ外側から覆うガイドプレートを備え、
上記第１、第２、第３及び第４ガイド孔は、上記ガイドプレートに形成されている
ことを特徴とする折畳み式携帯端末。
【請求項５】
請求項４に記載の折畳み式携帯端末において、
上記第１及び第３ガイドピンは、上記ガイドプレートにおける上記第１及び第２の筐体の各側面と反対側に配置された連結部で互いに連結されている
ことを特徴とする折畳み式携帯端末。
【請求項６】
請求項５に記載の折畳み式携帯端末において、
上記第１ガイド孔と第３ガイド孔との間には、直線状の第５ガイド孔が形成され、該第５ガイド孔には、上記連結部に結合された第５ガイドピンが挿通されている
ことを特徴とする折畳み式携帯端末。
【請求項７】
請求項１乃至６のいずれか１つに記載の折畳み式携帯端末において、
上記ヒンジ部は、一対の上記ガイドプレート間に上記第１及び第２の筐体のヒンジ部側端部を外側から覆う保護カバーを備えており、該第１及び第２の筐体の内部が外観に現れるのを防止している
ことを特徴とする折畳み式携帯端末。
【請求項８】
請求項１乃至７のいずれか１つに記載の折畳み式携帯端末において、
上記第１及び第２の筐体の開閉角度が１８０度になったときに、該第１及び第２の筐体の裏面側が平坦となるように構成されている
ことを特徴とする折畳み式携帯端末。
【請求項９】
請求項１乃至８のいずれか１つに記載の折畳み式携帯端末において、
上記第１の表示装置は、上記第１の筐体内でスライド移動可能に配置される第１表示モジュールと、該第１の筐体に固定されて該第１表示モジュールの表面を覆う第１固定プレートとを備え、
上記第２の表示装置は、上記第２の筐体内でスライド移動可能に配置される第２表示モジュールと、該第２の筐体に固定されて該第２表示モジュールの表面を覆う第２固定プレートとを備え、
上記開閉途中で、側面視で、上記第１固定プレートの表面側角部と、上記第２固定プレートの表面側角部とが互いに当接すると共に、上記第１及び第２表示モジュールが上記ヒンジ部側端部で接触するように構成されている
ことを特徴とする折畳み式携帯端末。
【請求項１０】
請求項９に記載の折畳み式携帯端末において、
上記第１表示モジュールは、表面側に第１表示パネルを備え、
上記第２表示モジュールは、表面側に第２表示パネルを備え、
上記第１及び第２表示パネルのヒンジ部側表面端部に設けた導光素子によって表示領域が該第１及び第２表示パネルのヒンジ部側端部一杯まで広げられている
ことを特徴とする折畳み式携帯端末。
【請求項１１】
請求項９又は１０に記載の折畳み式携帯端末において、
上記第１及び第２の筐体には、該第１及び第２の筐体の開閉角度が所定角度以下になると、上記第１及び第２表示モジュールのスライド移動を規制するストッパがそれぞれ設けられている
ことを特徴とする折畳み式携帯端末。
【請求項１２】
請求項１１に記載の折畳み式携帯端末において、
上記ストッパは、第１及び第２の筐体の開閉角度が所定角度以下になると、上記第１及び第２表示モジュールのスライド移動を規制するように構成されている
ことを特徴とする折畳み式携帯端末。
【請求項１３】
請求項１１又は１２に記載の折畳み式携帯端末において、
上記ストッパは、
上記第１及び第２表示モジュールに、該第１及び第２表示モジュールのスライド方向に垂直にそれぞれ突設した突起と、
上記第１及び第２の筐体に上記突起に対応して凹陥された停止用凹部とよりなり、
上記第１及び第２の筐体の開閉角度が所定角度以下になると、上記突起が上記停止用凹部の上記スライド方向の内壁に当接して上記第１及び第２表示モジュールのスライド移動を規制するように構成されている
ことを特徴とする折畳み式携帯端末。
【請求項１４】
請求項１１又は１２に記載の折畳み式携帯端末において、
上記ストッパは、
上記第１及び第２表示モジュールにスライド方向にそれぞれ突設したＬ字状突起と、
上記Ｌ字状突起に対向する側の上記第１又は第２の筐体に、該Ｌ字状突起に対応して凹陥された接触防止用凹部とよりなり、
上記第１及び第２の筐体の開閉角度が所定角度以下になると、上記Ｌ字状突起が上記第１又は第２表示モジュールのヒンジ部側端部に当接して第１及び第２表示モジュールのスライド移動を規制するように構成されている
ことを特徴とする折畳み式携帯端末。
【請求項１５】
請求項９乃至１４のいずれか１つに記載の折畳み式携帯端末において、
上記第１及び第２表示モジュールは、それぞれ付勢部材によって、互いに当接するように付勢されている
ことを特徴とする折畳み式携帯端末。
【請求項１６】
請求項１５に記載の折畳み式携帯端末において、
上記付勢部材は、上記第１及び第２表示モジュールを上記ヒンジ部側へ押圧する板バネ又は圧縮コイルバネである
ことを特徴とする折畳み式携帯端末。
【請求項１７】
請求項１５に記載の折畳み式携帯端末において、
上記付勢部材は、上記第１及び第２表示モジュールを上記ヒンジ部側に引き寄せる引っ張りコイルバネである
ことを特徴とする折畳み式携帯端末。
【請求項１８】
請求項９乃至１７のいずれか１つに記載の折畳み式携帯端末において、
上記第１及び第２固定プレートは、それぞれタッチパネルを含む
ことを特徴とする折畳み式携帯端末。
【発明の詳細な説明】
【技術分野】
【０００１】
本発明は、第１の表示装置を有する第１の筐体と、第２の表示装置を有する第２の筐体とが、ヒンジ部を中心に折畳み開閉可能に接続された折畳み式携帯端末に関し、特に第１及び第２表示装置の表示領域を連続させる技術に関する。
【背景技術】
【０００２】
高画質の表示が可能な表示装置として、例えば、液晶表示装置（ＬＣＤ）やプラズマ表示装置（ＰＤＰ）が知られている。そして、タッチパネル等の技術を利用することにより、折畳み携帯端末において、一対の筐体にそれぞれ表示装置を設けることが行われてきている。
【０００３】
この種の折畳み式携帯端末としては、例えば、特許文献１のように、２つの表示部を個別の画面としてそれぞれの表示部に情報を表示する第１のモードと、２つの表示部を１つの画面として情報を表示する第２のモードと、第１のモードと第２のモードとを切り替える手段とを備えた情報処理装置が知られている。
【０００４】
また、特許文献２のように、画像を表示する表示パネルを表面に配した第１及び第２表示モジュールを備え、表示パネルの表面よりも裏面側に回動軸を有するヒンジ部により第１及び第２表示モジュールを回動可能に連結したものが知られている。
【先行技術文献】
【特許文献】
【０００５】
【特許文献１】特開平９−３０５２５９号公報
【特許文献２】特開２００４−１９８４７２号公報
【発明の概要】
【発明が解決しようとする課題】
【０００６】
ところで、表示装置として代表的な液晶表示装置は、主として液晶表示パネル、バックライト装置等を含む液晶モジュールと、電源と、これらを収容する筐体とを備えている。液晶表示パネルは、一対のガラス基板と、これらの間に設けられた液晶層とを有する。この一対のガラス基板のうち、一方には、例えば画素電極がマトリクス状に形成され、ＴＦＴやバスライン及びこれらに信号を供給するための駆動回路等が設けられており、他方には、カラーフィルタ層や対向電極が設けられている。また、液晶表示パネルは、複数の画素が配列された表示領域と、その周辺の額縁領域とを有している。額縁領域には、一対のガラス基板を互いに対向させるとともに液晶層を密閉して保持するためのシール部や、画素を駆動するための駆動回路実装部等が設けられている。
【０００７】
このように、液晶表示パネルには表示に寄与しない額縁領域が存在するので、複数の液晶表示パネルを配列することによって大画面を構成すると、画像に継ぎ目が生じてしまう。この問題は液晶表示装置に限らず、ＰＤＰ、有機ＥＬ表示装置、電気泳動表示装置など、直視型の表示装置に共通の問題となっている。
【０００８】
そこで、上記特許文献１では、ヒンジを本体部の表示部にかからない位置に設けることにより、極力画像の継ぎ目が小さくなるようにしている。
【０００９】
しかしながら、例えば１本のヒンジ軸の中心を表示部の表面と一致させて常に一対の表示部を連続させようとすれば、表示部の表面はある程度厚みのある、ガラス板やアクリル樹脂板等のカバーで覆われているので、２つの筐体を閉じようとすると、カバーのヒンジ側端部同士が接触して完全に閉じることができない。逆に完全に閉じようとすると、開閉途中に隙間を設けざるをえないという問題がある。
【００１０】
一方、特許文献２のように、１本の回動軸を裏面側に配置すると、１８０°開いたときには、２つの画面が完全に連続すると共に、完全に閉じることも可能であるが、０°〜１８０°における画面の連続性については全く考慮されていない。
【００１１】
本発明は、かかる点に鑑みてなされたものであり、その目的とするところは、第１及び第２の筐体の開閉途中において、表示装置の表面を連続させながら、開閉操作をスムーズに行うことにある。
【課題を解決するための手段】
【００１２】
上記の目的を達成するために、この発明では、ヒンジ部により、開閉途中の第１の表示装置の表面側角部及び第２の表示装置の表面側角部の側面視の軌跡を規制するようにした。
【００１３】
具体的には、第１の発明では、第１の表示装置を有する第１の筐体と、第２の表示装置を有する第２の筐体とが、ヒンジ部を中心に折畳み開閉可能に接続された折畳み式携帯端末を前提とする。
【００１４】
そして、上記ヒンジ部は、上記第１の筐体と第２の筐体とを開閉する際に、側面視で、上記第１の表示装置の表面側角部と、上記第２の表示装置の表面側角部とが、互いに当接した状態で、このヒンジ部に対して直線状の軌跡で移動するように、第１の筐体と第２の筐体とを接続している。
【００１５】
上記の構成によると、ヒンジ部により、第１の筐体と第２の筐体とを開閉する際に、第１の表示装置の表面側角部と、第２の表示装置の表面側角部とが互いに干渉せずにヒンジ部に対して直線状の軌跡で移動するように規制される。このため、第１の表示装置の表面（カバー）及び第２の表示装置の表面（カバー）が、それぞれ厚みをもっていても、互いに当接した状態を保ちながら、スムーズに全閉操作を行うことが可能になる。
【００１６】
第２の発明では、第１の発明において、
上記第１の表示装置の表面側角部と、上記第２の表示装置の表面側角部とは、上記第１の筐体と第２の筐体との全閉時において、所定の隙間を空けて配置される。
【００１７】
従来のようにヒンジ軸を表示装置の表面に一致させて配置すると、全閉時においても第１の表示装置の表面側角部と、第２の表示装置の表面側角部と回避することなく接触し続けようとするので、各表示装置の表面に厚さがあれば、互いに干渉し合って全閉することができない。このため、開閉途中において、各表面側角部に間隔を空けざるをえない。しかし、上記の構成によると、ヒンジ部の作用により、第１の表示装置の表面側角部と第２の表示装置の表面側角部とが、ヒンジ部に対して直線状の軌跡を保って移動するので、互いに干渉せず、しかも、全閉時には間隔を空けるように移動規制することにより、例えば、第１及び第２表示装置の表面に薄い保護シートを被せたような場合でも、全閉時に保護シートが折れ曲がるだけのスペースを確保することができるので、開閉途中において、各表面側角部に間隔を空ける必要がない。
【００１８】
第３の発明では、第１又は第２の発明において、
上記ヒンジ部は、
上記第１の筐体の対向する各側面にそれぞれ連結された第１及び第２ガイドピンと、
第１方向に延び、上記第１ガイドピンの移動軌跡を規制する第１ガイド孔及び該第１方向とは異なる第２方向に延び、上記第２ガイドピンの移動軌跡を規制する第２ガイド孔と、
上記第２の筐体の対向する各側面にそれぞれ連結された第３及び第４ガイドピンと、
第３方向に延び、上記第３ガイドピンの移動軌跡を規制する第３ガイド孔及び該第３方向とは異なる第４方向に延び、上記第４ガイドピンの移動軌跡を規制する第４ガイド孔とを備えている。
【００１９】
上記の構成によると、第１〜第４ガイド孔の形状を調整することにより、各ガイドピンの移動軌跡を規制することで、各表面側角部の移動軌跡を適切に調整することができる。このため、各表面側角部が近付きすぎず且つ離れすぎないような移動規制が可能となる。
【００２０】
第４の発明では、第３の発明において、
上記ヒンジ部は、上記第１及び第２の筐体の対向するヒンジ部側端部の各側面をそれぞれ外側から覆うガイドプレートを備え、
上記第１、第２、第３及び第４ガイド孔は、上記ガイドプレートに形成されている。
【００２１】
上記の構成によると、簡単な構成で確実に各ガイドピンの移動規制が可能となる。
【００２２】
第５の発明では、第４の発明において、
上記第１及び第３ガイドピンは、上記ガイドプレートにおける上記第１及び第２の筐体の各側面と反対側に配置された連結部で互いに連結されている。
【００２３】
上記の構成によると、第１及び第３ガイドピンを互いに連結することにより、各表面側角部が連動して移動し、確実にヒンジ部に対して直線状の軌跡を描きながら移動させることができ、第１の筐体と第２の筐体の開閉がスムーズに行われる。そして、連結部で伸縮可能に連結することで、第１及び第３ガイド孔の形状が曲線状の場合に第１及び第３ガイドピンの間隔が広がっても第１の筐体と第２の筐体との開閉操作がスムーズに行われる。
【００２４】
第６の発明では、第５の発明において、
上記第１ガイド孔と第３ガイド孔との間には、直線状の第５ガイド孔が形成され、該第５ガイド孔には、上記連結部に結合された第５ガイドピンが挿通されている。
【００２５】
上記の構成によると、第１及び第３ガイドピンの連結部にさらに第５ガイドピンを結合して、その第５ガイドピンを第１ガイド孔と第３ガイド孔との間の直線状の第５ガイド孔に挿通させて移動規制することにより、さらに第１及び第３ガイドピンが安定して連動し、各表面側角部がスムーズに直線状の軌跡を描きながら移動する。
【００２６】
第７の発明では、第１乃至第６のいずれか１つの発明において、
上記ヒンジ部は、一対の上記ガイドプレート間に上記第１及び第２の筐体のヒンジ部側端部を外側から覆う保護カバーを備えており、該第１及び第２の筐体の内部が外観に現れるのを防止している。
【００２７】
すなわち、１８０°の全開時に各表示装置のヒンジ部側端部を連続させようとすると、各表示装置間に何も設けることができず、全閉時には、各表示装置のヒンジ部側端部が露出して見映えが悪くなる。しかし、上記の構成によると、ヒンジ部の保護カバーが第１及び第２の筐体のヒンジ部側端部を外側から覆っているので、全閉時でも第１及び第２の筐体のヒンジ部側端部が露出せず、見映えがよい上に、ゴミ等が侵入しない。
【００２８】
第８の発明では、第１乃至第７のいずれか１つの発明において、
上記第１及び第２の筐体の開閉角度が１８０度になったときに、該第１及び第２の筐体の裏面側が平坦となるように構成されている。
【００２９】
上記の構成によると、１８０°の全開時に裏面側が完全に平坦なので、机上等においてもぐらつかず、操作が容易である。
【００３０】
第９の発明では、第１乃至第８のいずれか１つの発明において、
上記第１の表示装置は、上記第１の筐体内でスライド移動可能に配置される第１表示モジュールと、該第１の筐体に固定されて該第１表示モジュールの表面を覆う第１固定プレートとを備え、
上記第２の表示装置は、上記第２の筐体内でスライド移動可能に配置される第２表示モジュールと、該第２の筐体に固定されて該第２表示モジュールの表面を覆う第２固定プレートとを備え、
上記開閉途中で、側面視で、上記第１固定プレートの表面側角部と、上記第２固定プレートの表面側角部とが互いに当接すると共に、上記第１及び第２表示モジュールが上記ヒンジ部側端部で接触するように構成されている。
【００３１】
すなわち、各表示モジュールが各筐体に固定された各固定プレートの奥側に配置されていると、各固定プレート間の間隔が開かないように第１及び第２の筐体の開閉が行える場合であっても、各表示モジュール間の間隔が開いてしまって各表示モジュールの画像を連続して表示することができない。しかし、上記の構成によると、第１及び第２の筐体の開閉操作に合わせて各モジュールが各筐体内で互いにヒンジ部側端部に向かってスライド移動するので、各固定プレートが表面側角部で接触すると共に、各表示モジュールのヒンジ部側端部を接触させた状態を保つことができる。このことで、開閉操作途中で連続した画像の表示が可能となる。
【００３２】
第１０の発明では、第９の発明において、
上記第１表示モジュールは、表面側に第１表示パネルを備え、
上記第２表示モジュールは、表面側に第２表示パネルを備え、
上記第１及び第２表示パネルのヒンジ部側表面端部に設けた導光素子によって表示領域が該第１及び第２表示パネルのヒンジ部側端部一杯まで広げられている。
【００３３】
すなわち、表示パネルとして代表的な液晶パネルは、複数の画素が配列された表示領域と、その周辺の額縁領域とを有し、この額縁領域には、一対のガラス基板を互いに対向させるとともに液晶層を密閉して保持するためのシール部や、画素を駆動するための駆動回路実装部等が設けられている。このため、液晶表示パネルには表示に寄与しない額縁領域が存在するので、複数の液晶表示パネルを配列することによって大画面を構成すると、画像に継ぎ目が生じてしまう。この問題は、液晶表示装置に限らず、ＰＤＰ、有機ＥＬ表示装置、電気泳動表示装置など、直視型の表示装置に共通の問題となっている。しかし、上記の構成によると、第１及び第２表示パネルのヒンジ部側表面端部に設けた導光素子によって表示領域が、第１及び第２表示パネルのヒンジ部側端部一杯まで広げられるので、各表示領域が完全に連続するように見せることができる。このため、第１及び第２の筐体の開閉途中で表示領域が連続して見えるため、２つの画像を連続させた継ぎ目のない大画面の実現が可能となる。
【００３４】
第１１の発明では、第９又は第１０の発明において、
上記第１及び第２の筐体には、該第１及び第２の筐体の開閉角度が所定角度以下になると、上記第１及び第２表示モジュールのスライド移動を規制するストッパがそれぞれ設けられている。
【００３５】
すなわち、第１及び第２の筐体の開閉操作に合わせて常に第１及び第２表示モジュールをスライド移動させるようにすると、第１及び第２の筐体を閉じるにつれてスライド量が大きくなる。更に、ヒンジ部を中心にこのまま閉じていくと、完全に閉じた場合は、第１及び第２表示モジュールは、筐体から外れてしまうことになる。しかし、上記の構成によると、使用頻度の低い所定角度以下で第１及び第２表示モジュールの移動を制限することにより、必要以上に第１及び第２表示モジュールを移動させなくてすむ。閉じた筐体を開いていく場合、ヒンジ部を中心に第１及び第２筐体と第１及び第２表示モジュールとがそれぞれ近付いていき、最初に第１及び第２表示モジュール同士が接触する。さらに開いていくと、第１及び第２表示モジュール同士は接触したまま第１又は第２の筐体と相対的にスライドし、第１及び第２表示モジュールは、接触した部分を中心に開いていく。第１及び第２の筐体同士は、ヒンジ部を中心に更に近付いていくことも可能なので、表示領域が連続したまま、第１及び第２の筐体と第１及び第２表示モジュールとの開閉動作をすることができる。
【００３６】
第１２の発明では、第１１の発明において、
上記ストッパは、第１及び第２の筐体の開閉角度が所定角度以下になると、上記第１及び第２表示モジュールのスライド移動を規制するように構成されている。
【００３７】
上記の構成によると、開閉角度が所定角度以下では、ユーザーが画面を見ながら使用することはほとんどないので、それ以下の開閉角度で第１及び第２表示モジュールの移動を制限して第１及び第２表示モジュール間の表示領域に隙間が生じても不都合はない。
【００３８】
第１３の発明では、第１１又は第１２の発明において、
上記ストッパは、
上記第１及び第２表示モジュールに、該第１及び第２表示モジュールのスライド方向に垂直にそれぞれ突設した突起と、
上記第１及び第２の筐体に上記突起に対応して凹陥された停止用凹部とよりなり、
上記第１及び第２の筐体の開閉角度が所定角度以下になると、上記突起が上記停止用凹部の上記スライド方向の内壁に当接して上記第１及び第２表示モジュールのスライド移動を規制するように構成されている。
【００３９】
上記の構成によると、第１及び第２の筐体の開閉角度が小さくなるにしたがって、第１及び第２の筐体は互いに離れ、第１及び第２表示モジュールは第１及び第２の筐体に対してスライドするが、第１及び第２の筐体の開閉角度が所定角度になったときに、突起が停止用凹部のスライド方向の内壁に当接するので、第１及び第２表示モジュールのスライド移動が停止する。このため、第１及び第２の筐体の開閉角度が所定角度以下では、それ以上第１及び第２表示モジュールがスライド移動することはない。
【００４０】
第１４の発明では、第１１又は第１２の発明において、
上記ストッパは、
上記第１及び第２表示モジュールにスライド方向にそれぞれ突設したＬ字状突起と、
上記Ｌ字状突起に対向する側の上記第１又は第２の筐体に、該Ｌ字状突起に対応して凹陥された接触防止用凹部とよりなり、
上記第１及び第２の筐体の開閉角度が所定角度以下になると、上記Ｌ字状突起が上記第１又は第２表示モジュールのヒンジ部側端部に当接して第１及び第２表示モジュールのスライド移動を規制するように構成されている。
【００４１】
上記の構成によると、第１及び第２の筐体の開閉角度が小さくなるにしたがって、第１及び第２の筐体は互いに離れ、第１及び第２表示モジュールは第１及び第２の筐体に対してスライドするが、第１及び第２の筐体の開閉角度が所定角度になったときに、第１又は第２表示モジュールのヒンジ部側（スライド方向）端部がＬ字状突起に当接するので、第１及び第２表示モジュールのスライド移動が停止する。このため、第１及び第２の筐体の開閉角度が所定角度以下では、それ以上第１及び第２表示モジュールがスライド移動することはない。また、開閉途中には、Ｌ字状突起は、対向する接触防止用凹部に収容されて接触することはないので、開閉動作を阻害しない。
【００４２】
第１５の発明では、第９乃至第１４のいずれか１つの発明において、
上記第１及び第２表示モジュールは、それぞれ付勢部材によって、互いに当接するように付勢されている。
【００４３】
上記の構成によると、簡単な構成で第１及び第２の筐体の開閉操作に合わせて各表示モジュールを互いに接触させながらスライド移動させることができる。
【００４４】
第１６の発明では、第１５の発明において、
上記付勢部材は、上記第１及び第２表示モジュールを上記ヒンジ部側へ押圧する板バネ又は圧縮コイルバネである。
【００４５】
上記の構成によると、第１及び第２表示モジュールが常に板バネ又は圧縮コイルバネで付勢されて適切な力で互いに押し合うように設定できるので、簡単な構成で連続した画像の表示が可能となる。特に板バネであれば、軽量且つ丈夫で、狭い隙間でも大きなストロークを確保することができて有利である。
【００４６】
第１７の発明では、第１５の発明において、
上記付勢部材は、上記第１及び第２表示モジュールを上記ヒンジ部側に引き寄せる引っ張りコイルバネである。
【００４７】
上記の構成によると、第１及び第２表示モジュールが常に引っ張りコイルバネで付勢されて適切な力で互いに押し合うように設定できるので、簡単な構成で連続した画像の表示が可能となる。
【００４８】
第１８の発明では、第９乃至第１７のいずれか１つの発明において、
上記第１及び第２固定プレートは、それぞれタッチパネルを含む。
【００４９】
すなわち、タッチパネルを含む場合、表示パネル表面と固定プレート表面との間隔を広く取る必要があり、開閉に伴って表示パネルのヒンジ部側端部間の間隔が広がりやすいが、本発明によると、各表示モジュールが互いにスライド移動して近付き合うので、連続した画像が表示され、２つの筐体間で指を連続して移動させながら、タッチパネルの操作が可能となるので、商品性が格段に向上する。
【発明の効果】
【００５０】
以上説明したように、本発明によれば、第１の筐体と第２の筐体とを接続しているヒンジ部によって、第１の筐体と第２の筐体とを開閉する際に、側面視における第１の表示装置の表面側角部と、第２の表示装置の表面側角部との移動軌跡を規制するようにしたことにより、第１及び第２の筐体の開閉途中において、表示装置の表面を連続させながら、全閉も行うことができる。
【００５１】
さらに、各筐体に固定された固定プレートの内側で、各表示モジュールを互いに当接するようにスライド移動させるようにしたことにより、第１及び第２の筐体の開閉途中において、表示領域が連続した大きな画面を表示することができる。
【図面の簡単な説明】
【００５２】
【図１】本発明の実施形態１にかかる折畳み式携帯端末の全開状態を示す斜視図である。
【図２】折畳み式携帯端末を閉じる途中の状態を示す斜視図である。
【図３】折畳み式携帯端末を閉じる途中の状態を示す斜視図である。
【図４】折畳み式携帯端末を閉じる途中の状態を示す斜視図である。
【図５】折畳み式携帯端末を閉じる途中の状態を示す斜視図である。
【図６】折畳み式携帯端末の全閉状態を示す斜視図である。
【図７】折畳み式携帯端末の全開状態を示す縦断面図である。
【図８】折畳み式携帯端末を閉じる途中の状態を示す縦断面図である。
【図９】折畳み式携帯端末の全閉状態を示す縦断面図である。
【図１０】図７のＸ部拡大断面図である。
【図１１】図８のXI部拡大断面図である。
【図１２】図９のXII部拡大断面図である。
【図１３】第１及び第２固定プレートを取り外してストッパが見えるようにした図１相当図である。
【図１４】ストッパを示す拡大斜視図である。
【図１５】全開状態におけるヒンジ部を拡大して示す斜視図である。
【図１６】閉じる途中のヒンジ部を拡大して示す斜視図である。
【図１７】全閉状態におけるヒンジ部を拡大して示す斜視図である。
【図１８】本発明の実施形態２にかかる折畳み式携帯端末の全開状態を表面側から見た示す斜視図である。
【図１９】折畳み式携帯端末の全開状態を裏面側から見た示す斜視図である。
【図２０】折畳み式携帯端末を閉じる途中の状態を表面側から見た斜視図である。
【図２１】折畳み式携帯端末を閉じる途中の状態を裏面側から見た斜視図である。
【図２２】折畳み式携帯端末の全閉近傍の状態を示す斜視図である。
【図２３】全開状態を示す縦断面図である。
【図２４】閉じる途中の状態を示す縦断面図である。
【図２５】さらに閉じた状態を示す縦断面図である。
【図２６】全閉状態を示す縦断面図である。
【図２７】その他の実施形態にかかるストッパを示す拡大平面図である。
【発明を実施するための形態】
【００５３】
以下、本発明の実施形態を図面に基づいて説明する。
【００５４】
（実施形態１）
図１〜図６は本発明の実施形態１の折畳み式携帯端末１を示し、この折畳み式携帯端末１は、第１の表示装置２を有する第１の筐体３と、第２の表示装置４を有する第２の筐体５とを有し、これら第１及び第２の筐体３，５が、ヒンジ部６を中心に折畳み開閉可能に接続されている。第１及び第２の筐体３，５の形状は特に限定されないが、本実施形態では、説明の簡略化のために、第１及び第２の筐体３，５の形状は、左右に長い矩形板状とし、ヒンジ部６が左右に延びて、上下の第１及び第２の筐体３，５がヒンジ部６を中心に開閉されるように手で持つことを基準に左右上下方向を指定して説明する。ただし、折畳み式携帯端末１は、第１及び第２の筐体３，５を縦長にして使用することもでき、上下方向に延びるヒンジ部６を中心に左右で開閉するように手で持つこともできるのは、もちろんのことである。
【００５５】
図７〜図１２に示すように、第１及び第２の筐体３，５は、例えば、内部が空洞の樹脂成形品、金属成形品等よりなり、観察者側（表面側）の第１及び第２メインキャビ３ａ，５ａと、裏面側の第１及び第２リヤキャビ３ｂ，５ｂとをそれぞれ含むものとする。第１及び第２メインキャビ３ａ，５ａの表面側には、それぞれ透明な樹脂シート、樹脂パネルなどを含む第１及び第２固定プレート７，８が嵌め込まれて両面テープ等により固定されている。この第１及び第２固定プレート７，８は、それぞれ裏面側にタッチパネル９を含んでいる。第１及び第２リヤキャビ３ｂ，５ｂの裏面側は平坦となっている。
【００５６】
上記第１及び第２固定プレート７，８の内側には、第１及び第２表示モジュール１１，１２がそれぞれ配置されている。この第１表示モジュール１１は、表面側に、第１表示パネルとしての第１液晶パネル１３を備えている。この第１液晶パネル１３の奥側には、第１バックライト１５が設けられている。そして、第１表示モジュール１１は、第１の筐体３に対して、ヒンジ部６に対して垂直方向（上下方向）にスライド移動可能に配置されている。同様に第２表示モジュール１２は、表面側に、第２表示パネルとしての第２液晶パネル１４を備えている。この第２液晶パネル１４の奥側にも、バックライト１６が設けられている。そして、第２表示モジュール１２は、第２の筐体５に対し、ヒンジ部６に対して垂直方向（上下方向）にスライド移動可能に配置されている。
【００５７】
詳しくは図示しないが、第１及び第２液晶パネル１３，１４は、公知の任意の液晶表示パネルであってよく、例えばＴＦＴ型のＶＡモードの液晶表示パネルである。第１及び第２液晶パネル１３，１４は、それぞれＴＦＴ基板及び対向基板を有し、ＴＦＴ基板と対向基板との間には液晶層が設けられている。ＴＦＴ基板にはＴＦＴや画素電極が設けられ、対向基板にはカラーフィルタや対向電極が設けられている。液晶層は、シール部によって、ＴＦＴ基板と対向基板との間に保持されている。対向基板の観察者側（図７における上側）、ＴＦＴ基板の観察者側と反対側（図７における下側）には、それぞれ、光学フィルム層が設けられている。光学フィルム層は、偏光板や、必要に応じて設けられる位相差板を含む。
【００５８】
また、詳しくは図示しないが、第１リヤキャビ３ｂには、第１基板１７が設けられ、第２リヤキャビ５ｂには、第２基板１８（共に図７にのみ示す）が設けられると共に、第１又は第２リヤキャビ３ｂ，５ｂには、バッテリが設けられている。そして、第１基板１７と第２基板１８とがフレキシブル基板等により互いに接続されている。
【００５９】
図１０に示すように、第１及び第２液晶パネル１３，１４は、それぞれ複数の画素が配列された表示領域２０と、その周辺の額縁領域２１とを有している。この額縁領域２１には、一対のガラス基板を互いに対向させるとともに液晶層を密閉して保持するためのシール部や、画素を駆動するための駆動回路実装部（いずれも図示せず）等が設けられている。このため、第１及び第２液晶パネル１３，１４には表示に寄与しない額縁領域２１が存在している。
【００６０】
本実施形態の第１及び第２液晶パネル１３，１４の表面は、それぞれ導光パネル２４で覆われ、この導光パネル２４のヒンジ部６側端部には、導光素子２５が設けられている。この導光素子２５によって、表示領域２０における額縁領域２１近傍の画像が、第１液晶パネル１３のヒンジ部６側端部一杯まで広げられている。導光素子２５は、詳しくは図示しないが、例えば、複数の透明層と複数の金属層が積層された積層体を用いることができる。導光素子２５に入射面から入射した光は、側面に平行に透明層内を伝播し、出射面から観察者側に向けて出射される。このとき、透明層に入射した光は、隣接する金属層で反射されながら、透明層内を伝播する。入射面には様々な角度から光が入射するが、シート積層体は、金属層における金属反射を利用するので、入射角度に関わらず全ての光を導光させることができる。また、導光素子２５として、側面の少なくとも一部が金属部で覆われた略円柱形の透明部を含む複数の導光部を有するものを用いることができる。さらに、導光素子２５として、複数の透光層が積層されたシート積層体を用いることもできる。
【００６１】
そして、例えば、図１３に示すように、第１及び第２の筐体３，５には、上記第１及び第２表示モジュール１１，１２がそれぞれ収容される矩形状の収容凹部３ｃ，５ｃが形成され、その左右側壁が、それぞれヒンジ部６の長手方向に対して垂直な上下方向に延びる一対のスライド側壁３ｄ，５ｄを構成している。さらに、第１及び第２表示モジュール１１，１２は、収容凹部３ｃ，５ｃのヒンジ部６と反対側の壁面にそれぞれ配置された付勢部材としての板バネ２７によって、ヒンジ部６側へ押圧され、互いに当接するように付勢されている。このことで、各スライド側壁３ｄ，５ｄに第１及び第２表示モジュール１１，１２の左右側面がそれぞれ摺接しながら各スライド側壁３ｄ，５ｄに沿ってスライドするようになっている。付勢部材として板バネ２７を選択しているので、軽量且つ丈夫で、狭い隙間でも大きなストロークが確保されている。
【００６２】
そして、例えば、図１４に示すように、第１及び第２の筐体３，５のスライド側壁３ｄ，５ｄには、左右外側へ凹陥された停止用凹部２８ａがそれぞれ形成されている。この停止用凹部２８ａに対応させて第１及び第２表示モジュール１１，１２の第１及び第２バックライト１５，１６には、左右外側へ突出する突起２８ｂが形成されている。これら停止用凹部２８ａとそれに対応する突起２８ｂとの組み合わせにより、第１及び第２の筐体３，５の開閉角度が所定角度以下になると、第１及び第２表示モジュール１１，１２のスライド移動を規制するストッパ２８の役割を果たしている。具体的には、例えば開閉角度が９０度となったときに、突起２８ｂが停止用凹部２８ａのスライド方向の内壁２８ｃに当接して第１及び第２表示モジュール１１，１２のスライド移動を規制するように構成されている。
【００６３】
そして、図１０〜図１２に示すように、ヒンジ部６は、第１の筐体３と第２の筐体５とを開閉する際に、側面視で、第１の表示装置２の表面側角部、すなわち、第１固定プレート７のヒンジ部側角部７ａと、第２の表示装置４の表面側角部、すなわち、第２固定プレート８のヒンジ部側角部８ａとが、互いに当接した状態で、ヒンジ部６に対して直線状の軌跡で移動するように、第１の筐体３と第２の筐体５とを接続している。さらに、ヒンジ部６により、第１の筐体３と第２の筐体５との全閉時において、第１固定プレート７のヒンジ部側角部７ａと、第２固定プレート８のヒンジ部側角部８ａとが所定の隙間ｃを空けて配置されるように構成されている。
【００６４】
図１５〜図１７に示すように、ヒンジ部６は、第１及び第２の筐体３，５の対向するヒンジ部６側端部の左右側面３ｅ，５ｅをそれぞれ外側から覆う金属製又は強化繊維樹脂製等のガイドプレート３０を備えている。また、ヒンジ部６は、第１の筐体３の対向する左右側面３ｅにそれぞれ間隔を空けて連結された第１及び第２ガイドピン３１，３２を備え、第２の筐体５の対向する左右側面５ｅにそれぞれ間隔を空けて連結された第３及び第４ガイドピン４１，４２を備えている。
【００６５】
ガイドプレート３０は、第１方向に延び、第１ガイドピン３１の移動軌跡を規制する第１ガイド孔３３を備えている。第１方向とは、折畳み式携帯端末１を１８０°に全開したときに、その厚さ方向（図７の上下方向）を示す。図１５等では明らかではないが、例えば、第１ガイド孔３３の端部は、図１５の左方へ若干湾曲している。第２ガイドピン３２は、第２ガイド孔３４よりも径の大きい鍔部３２ａを有し、この第２ガイド孔３４から抜け止めされている。また、ガイドプレート３０には、この第１方向とは異なる第２方向に延び、第２ガイドピン３２の移動軌跡を規制する第２ガイド孔３４が形成されている。第２方向とは、同じく折畳み式携帯端末１を１８０°に全開したときの水平方向を示す。本実施形態では、第２ガイド孔３４は、第１ガイド孔３３に対して略垂直な直線形状であるが、第１ガイド孔３３に対して傾斜していても湾曲していてもよい。
【００６６】
同様にガイドプレート３０は、第３方向に延び、第３ガイドピン４１の移動軌跡を規制する第３ガイド孔４３を備えている。第３方向とは、折畳み式携帯端末１を１８０°に全開したときの、その厚さ方向を示す。図１５等では明らかではないが、第３ガイド孔４３の端部も、図１５の右方へ若干湾曲している。第４ガイドピン４２も、第４ガイド孔４４よりも径の大きい鍔部４２ａを有し、この第４ガイド孔４４から抜け止めされている。また、ガイドプレート３０には、この第３方向とは異なる第４方向に延び、第４ガイドピン４２の移動軌跡を規制する第４ガイド孔４４が形成されている。第４方向とは、同じく折畳み式携帯端末１を１８０°に全開したときの水平方向を示す。本実施形態では、第４ガイド孔４４も、第３ガイド孔４３に対して略垂直な直線形状であるが、第３ガイド孔４３に対して傾斜していても湾曲していてもよい。
【００６７】
第１及び第３ガイド孔３３，４３と第１及び第３ガイド孔３４，４４の形状は、それぞれ第１及び第２の筐体３，５の角部と合わせて３点で決まる平面の軌跡を決定するように構成されており、第１及び第２の筐体３，５の角部の軌跡を任意に設定可能となっている。
【００６８】
図７の手前側から見て第１方向と第３方向とは、互いに左右対称であり、同様に第２方向と第４方向とは、互いに左右対称となっている。
【００６９】
そして、第１及び第３ガイドピン３１，４１は、ガイドプレート３０における第１及び第２の筐体３，５の反対側の連結部５１で互いに連結されている。連結部５１は、樹脂成形品、金属成形品等よりなり、エラストマーのように可撓性を有していてもよい。
【００７０】
そして、ガイドプレート３０上の第１及び第３ガイド孔３３，４３の間には、直線状の第５ガイド孔５０が形成されている。第５ガイド孔５０は、図７の状態で、第１及び第３ガイド孔３２，４２よりも若干下方へずれて配置されている。この第５ガイド孔５０には、第１及び第３ガイドピン３１，４１の連結部５１に結合された第５ガイドピン５２が挿通されている。
【００７１】
このように簡単な構成で、各ガイドピン３１，３２，４１，４２の移動規制が可能となっている。
【００７２】
そして、ヒンジ部６は、第１及び第２の筐体３，５のヒンジ部６側端部を覆う保護カバー６０を備えている。具体的には、この保護カバー６０は、左右のガイドプレート３０に連結され、このガイドプレート３０の外周と同等の矩形枠状の可撓性を有する材料よりなる。この保護カバー６０により、第１及び第２の筐体３，５の内部が外観に現れるのが防止されている。なお、保護カバー６０を金属成形品で構成してもよく、ガイドプレート３０と保護カバー６０とを一体に形成して部品点数を減らすようにしてもよい。
【００７３】
このようなヒンジ部６の構成により、折畳み開閉動作中、第１固定プレート７と第２固定プレート８とは、ヒンジ部６側端部で接触し、また、第１及び第２表示モジュール１１，１２は、互いに当接するようにスライド移動してヒンジ部６側端部で接触するように構成されている。そして、第１及び第２の筐体３，５の開閉角度が１８０度になったときに、第１及び第２リヤキャビ３ｂ，５ｂと保護カバー６０とは、平坦となっている。
【００７４】
−折畳み式携帯端末の使用方法−
次に、本実施形態にかかる折畳み式携帯端末１の使用方法について説明する。
【００７５】
まず、図１に示す折畳み式携帯端末１の１８０°の全開時には、第１及び第２固定プレート７，８が完全に連続して一枚の板状の端末のように見える。
【００７６】
このとき、図１５に示すように、第１，第３及び第５ガイドピン３１，４１，５２は、それぞれ第１，第３及び第５ガイド孔３３，４３，５０におけるヒンジ部６の厚さ方向上端に位置している。第２及び第４ガイドピン３２，４２は、それぞれ、第２及び第４ガイド孔３４，４４の左右中央側の端部に位置している。この全開姿勢では、保護カバー６０が第１及び第２の筐体３，５のヒンジ部６側端部を覆っているので、第１及び第２の筐体３，５の内部が露出せず、見映えがよい。しかも、この保護カバー６０を含め、裏面側全体が完全に平坦なので、机上等においてもぐらつかず、快適に操作を行える。図１３に示すように、第１及び第２表示モジュール１１，１２は、それぞれ板バネ２７に付勢されて互いにヒンジ部６側で当接し、連続している。しかも、図１０に示すように、第１及び第２液晶パネル１３，１４のヒンジ部側表面端部に設けた導光素子２５によって表示領域２０が、第１及び第２液晶パネル１３，１４のヒンジ部６側端部一杯まで広げられるので、各表示領域２０を完全に連続するように見せることができる。このため、２つの画像を連続させた継ぎ目のない大画面の実現が可能となる。さらに、第１及び第２固定プレート７，８は、それぞれタッチパネル９を含むので、連続した画像を見ながら、第１及び第２の筐体３，５間で指を連続して移動させるような滑らかなタッチパネル９の操作が可能となる。
【００７７】
全開の状態から、図２及び図３に示すように、第１及び第２の筐体３，５を徐々に閉じていく。すると、図１６に示すように、第１，第３及び第５ガイドピン３１，４１，５２は、それぞれ第１，第３及び第５ガイド孔３３，４３，５０におけるヒンジ部６の厚さ方向中央に移動する。同時に第２及び第４ガイドピン３２，４２は、それぞれ、第２及び第４ガイド孔３４，４４の左右中央側の端部から互いに離れる方向に移動する。このとき、第１及び第３ガイドピン３１，４１の連結部５１にさらに第５ガイドピン５２を結合して、その第５ガイドピン５２を第１及び第３ガイド孔３３，４３の間の直線状の第５ガイド孔５０に挿通させて移動規制することにより、第１及び第３ガイドピン３１，４１が別々に不安定な方向に移動することなく、確実にヒンジ部６に対して直線状の軌跡を描きながら移動させることができ、第１の筐体３と第２の筐体５の開閉がスムーズに行われる。そして、連結部５１に可撓性材料を用いれば、伸縮可能に連結するができ、第１及び第３ガイド孔の形状が曲線状の場合に第１及び第３ガイドピン３１，４１の間隔が広がっても第１の筐体３と第２の筐体５との開閉操作がスムーズに行われる。このようにして、ヒンジ部６により、第１の筐体３と第２の筐体５とを開閉する際に、第１固定プレート７のヒンジ部側角部７ａと、第２固定プレート８のヒンジ部側角部８ａとが互いに干渉せずにヒンジ部６に対して直線状の軌跡で移動するように規制される。このため、第１及び第２固定プレート７，８等がそれぞれ厚みをもっていても、各ヒンジ部側角部７ａ，８ａが互いに当接した状態が保たれる。
【００７８】
図３に示すように、第１及び第２の筐体３，５の開閉角度が９０°になるときには、第１及び第２の筐体３，５のスライド側壁３ｄ，５ｄに設けた停止用凹部２８ａのスライド方向内壁２８ｃに、第１及び第２バックライト１５，１６にそれぞれ設けた突起２８ｂが当接する。このことで、第１及び第２表示モジュール１１，１２のそれ以降のスライド移動が規制される。すなわち、この角度よりも小さい角度では、ユーザーが画面を見ながら使用することはまずないので、それ以下の開閉角度で第１及び第２表示モジュール１１，１２の移動を制限して第１及び第２表示モジュール１１，１２間の表示領域２０に隙間が生じても不都合はない。このように、ストッパ２８により、必要以上に第１及び第２表示モジュール１１，１２を移動させなくてすむので、構造の簡易化が可能となる。
【００７９】
次いで、図４及び図５のように折畳み式携帯端末１をさらに閉じていく。第１及び第３ガイド孔３３，４３の形状が端部に向かって若干互いに広がっていることから、全閉の手前で第１固定プレート７のヒンジ部側角部７ａと、第２固定プレート８のヒンジ部側角部８ａとが離れて隙間が生じる。
【００８０】
そして、図６に示す折畳み式携帯端末１の０°の全閉時には、図１７に示すように、第１，第３及び第５ガイドピン３１，４１，５２は、それぞれ第１，第３及び第５ガイド孔３３，４３，５０におけるヒンジ部６の厚さ方向下端に位置している。第２及び第４ガイドピン３２，４２は、それぞれ、第２及び第４ガイド孔３４，４４の左右中央側の端部に戻っている。図１２に示すように、全閉時には第１固定プレート７のヒンジ部側角部７ａと、第２固定プレート８のヒンジ部側角部８ａとが離れて隙間ｃが生じる。
【００８１】
また、この全閉姿勢では、保護カバー６０が第１及び第２の筐体３，５のヒンジ部６側端部を覆っているので、第１及び第２の筐体３，５の内部が露出せず、見映えがよい。また、ストッパ２８によってスライド移動が停止されていた第１及び第２表示モジュール１１，１２は、保護カバー６０によって若干押し戻されて保護カバー６０内に収まる。
【００８２】
第１〜第４ガイド孔３３，３４，４３，４４の形状を調整することにより、各ガイドピン３１，３２，４１，４２の移動軌跡を規制することで、各表面側角部７ａ，８ａの移動軌跡を適切に調整することができる。このため、各表面側角部７ａ，８ａが近付きすぎず且つ離れすぎずに当接したまま互いに干渉して開閉が行えなくならないように移動規制が可能となる。
【００８３】
このようなヒンジ部６の作用により、第１固定プレート７のヒンジ部側角部７ａと第２固定プレート８のヒンジ部側角部８ａとが、ヒンジ部６に対して直線状の軌跡を保って移動するので、互いに干渉せず、しかも、全閉時には隙間ｃを空けるように移動規制することにより、開閉途中において、各表面側角部に間隔を空ける必要がない。そして、第１及び第２の筐体３，５の開閉操作に合わせて各モジュール１１，１２が各筐体３，５内でスライド移動するので、各表示モジュール１１，１２のヒンジ部６側端部を接触させた状態を保つことができる。このことで、連続した画像の表示が可能となる。
【００８４】
したがって、本実施形態にかかる折畳み式携帯端末１によると、ヒンジ部６によって、第１の筐体３と第２の筐体５とを開閉する際に、側面視における第１固定プレート７のヒンジ部側角部７ａと、第２固定プレート８のヒンジ部側角部８ａとの移動軌跡を規制するようにしたことにより、第１の筐体３と第２の筐体５とを接続している第１及び第２の筐体３，５の開閉途中において、各表示装置２，４の表面を連続させながら、全閉も行うことができる。
【００８５】
さらに、各筐体３，５に固定された固定プレート７，８の内側で、各表示モジュール１１，１２を互いに当接するようにスライド移動させるようにしたことにより、第１及び第２の筐体３，５の開閉途中において、表示領域２０が連続した大きな画面を表示することができる。
【００８６】
（実施形態２）
図１８〜図２６は本発明の実施形態２を示し、ヒンジ部１０６の構成が異なる点で上記実施形態１と異なる。なお、本実施形態では、図１〜図１７と同じ部分については同じ符号を付してその詳細な説明は省略する。
【００８７】
すなわち、本実施形態の携帯端末１０１では、ヒンジ部１０６は、第１の筐体３と第２の筐体５とが全閉時の合わせ面に中心軸がくるように、第１の筐体３と第２の筐体５とにそれぞれボス部１０６ａ，１０６ｂが形成されている。左右のボス部１０６ａ，１０６ｂに中心軸としてヒンジ軸１０６ｃを挿入することで、第１の筐体３と第２の筐体５とがヒンジ部１０６を中心に回動可能に連結されている。図示しないが、例えば、ヒンジ軸１０６ｃ内に付勢機構を設ければ、所定の角度で保持しやすくしたり、開閉動作を補助させたりすることができる。
【００８８】
上記実施形態１では、ストッパ２８は、第１及び第２の筐体３，５のスライド側壁３ｄ，５ｄに凹陥された停止用凹部２８ａと、第１及び第２バックライト１５，１６の突起２８ｂとで構成したが、本実施形態でも上記実施形態１と同様のストッパ２８を設ければよい。本実施形態では、図２５に示すように、５０°前後でストッパ２８により、第１及び第２表示モジュール１１，１２のスライド移動を停止させるようにしてもよい。
【００８９】
その他の構成部品は、上記実施形態１と同様であるので、その説明は省略する。
【００９０】
次に、本実施形態にかかる折畳み式携帯端末１０１の作動について、特に実施形態１と異なる点を中心に説明する。
【００９１】
まず、本実施形態においても、図１８、図１９及び図２３に示す折畳み式携帯端末１の１８０°の全開時には、第１及び第２固定プレート７，８が完全に連続して一枚の板状の端末のように見える。
【００９２】
本実施形態では、ヒンジ部１０６に対して第１の筐体３及び第２の筐体５は、回動動作のみを行う。第１及び第２固定プレート７，８のヒンジ部側角部７ａ，８ａの位置は、ヒンジ軸１０６ｃの中心に一致している。
【００９３】
このため、図２３〜図２６に示すように、全開から全閉に移り変わる際にも、常に第１及び第２固定プレート７，８のヒンジ部側角部７ａ，８ａの位置は、ヒンジ軸１０６ｃの中心と一致している。
【００９４】
一方で、第１及び第２表示モジュール１１，１２は、それぞれ上記実施形態１と同様にヒンジ部１０６に向かって互いに当接するように付勢され、導光素子２５を有する第１及び第２液晶パネル１３，１４のヒンジ部側端部が常に互いに当接しているので、画像が連続する。
【００９５】
図２５に示すように、閉じる角度が約５０°になったときに、第１及び第２バックライト１５，１６の突起２８ｂがスライド方向内壁２８ｃに当接するので、第１及び第２表示モジュール１１，１２のスライド移動が停止する。このため、それ以上第１及び第２表示モジュール１１，１２がスライド移動することはない。
【００９６】
図２６に示す全閉時には、第１及び第２固定プレート７，８の表面が互いに合わさっている。本実施形態において、例えは保護カバー６０は伸縮性のある材料で構成されている。このため、上記実施形態１と同様に、ストッパ１２８によってスライド移動が停止されていた第１及び第２表示モジュール１１，１２は、保護カバー６０によって若干押し戻されて保護カバー６０内に収まるようにすれば、構造も簡単で見映えもよくなる。なお、保護カバー６０の構成は、これに限定されず、詳しくは図示しないが、例えば、側面からみだ断面が円弧状のヒンジ部１０６に沿って延びる３つの部材で構成し、開閉に伴って重なったり、離れたりするように構成してもよい。この場合には、全開時に第１及び第２の筐体３，５の裏面よりも引っ込むようにすれば、裏面側を平坦にすることもできる。また、全閉時に第１及び第２表示モジュール１１，１２を押し戻す機構を別途設ければよい。
【００９７】
なお、第１及び第２固定プレート７，８の表面に薄い保護膜を貼り付ける場合には、全閉時に、この保護膜分の隙間が空くようにヒンジ軸１０６ｃとヒンジ部側角部７ａ，８ａとの位置関係を調整すればよい。
【００９８】
したがって、本実施形態にかかる折畳み式携帯端末１０１においても、第１及び第２の筐体３，５の開閉途中において、表示領域が連続した大きな画面を表示することができる。
【００９９】
（その他の実施形態）
本発明は、上記実施形態について、以下のような構成としてもよい。
【０１００】
すなわち、上記実施形態では、付勢部材は、板バネ２７としたが、この板バネ２７と同様の位置に圧縮コイルバネを設けて第１及び第２表示モジュール１１，１２をヒンジ部６側に押し付けるようにしてもよく、また、引っ張りコイルバネによって突起２８ｂをヒンジ部６側に引っ張って第１及び第２表示モジュール１１，１２をヒンジ部６側に引き寄せるようにしてもよい。この場合にも、第１及び第２表示モジュール１１，１２が常に圧縮コイルバネや引っ張りコイルバネで付勢されて適切な力で互いに押し合うので、簡単な構成で、開閉途中において連続した画像の表示が可能となる。
【０１０１】
上記各実施形態では、ストッパ２８は、第１及び第２の筐体３，５のスライド側壁３ｄ，５ｄに凹陥された停止用凹部２８ａと、第１及び第２バックライト１５，１６の突起２８ｂとで構成したが、これに限定されない。例えば、図２７に示すように、ストッパ１２８として、第１バックライト１５のヒンジ部１０６側端部の右に、右方向に突設した係止用突起１２８ａと、第２バックライト１６のヒンジ部１０６側端部の左側に、左方向に突設した係止用突起１２８ａとを設けてもよい。この右側の係止用突起１２８ａに対応させて第１の筐体３にヒンジ部１０６側へ突設したＬ字状突起１２８ｂを設け、左側の係止用突起１２８ａに対応させて第２の筐体５にヒンジ部１０６側へ突設したＬ字状突起１２８ｂを設ける。右側のＬ字状突起１２８ｂに対向する第２の筐体５には、このＬ字状突起１２８ｂが収納されるように接触防止用凹部１２８ｃが凹陥され、左側のＬ字状突起１２８ｂに対向する第１の筐体３には、このＬ字状突起１２８ｂが収納されるように接触防止用凹部１２８ｃが凹陥されている。このストッパ１２８においても、上記各実施形態のストッパ２８と同様の作用効果が得られる。なお、ストッパ１２８の構成部品として必ずしも第１及び第２バックライト１５，１６のヒンジ部１０６側端部に係止用突起１２８ａを設ける必要はなく、第１及び第２の筐体３，５の開閉角度が所定角度以下になると、Ｌ字状突起１２８ｂが第１及び第２バックライト１５，１６のヒンジ部１０６側端部そのものに当接して第１及び第２表示モジュール１１，１２のスライド移動を規制するように構成してもよい。この場合、Ｌ字状突起１２８ｂを押し込み可能に構成すれば、全閉時に保護カバー６０によって押し込むことができる。
【０１０２】
上記各実施形態では、第１及び第２表示モジュール１１，１２に第１及び第２液晶パネル１３，１４を設けたが、このような液晶表示装置に限らず、ＰＤＰ、有機ＥＬ表示装置、電気泳動表示装置を設けてもよい。この場合にも、同様の導光素子２５を設ければ、連続した画面の表示が可能となる。
【０１０３】
なお、以上の実施形態は、本質的に好ましい例示であって、本発明、その適用物や用途の範囲を制限することを意図するものではない。
【産業上の利用可能性】
【０１０４】
以上説明したように、本発明は、携帯電話機、ＰＨＳ（Personal Handy-phone System ）、ＰＤＡ(Personal Digital Assistant)、パソコン、モバイルツール、電子辞書、電卓、ゲーム機等の折畳み式の携帯端末について有用である。
【符号の説明】
【０１０５】
１      折畳み式携帯端末
２      第１の表示装置
３      第１の筐体
３ｅ，５ｅ    左右側面（各側面）
４      第２の表示装置
５      第２の筐体
６      ヒンジ部
７      第１固定プレート
７ａ    ヒンジ部側角部（表示部側端部）
８      第２固定プレート
８ａ    ヒンジ部側角部（表示部側端部）
９      タッチパネル
１１      第１表示モジュール
１２      第２表示モジュール
１３      第１液晶パネル（第１表示パネル）
１４      第２液晶パネル（第２表示パネル）
２０      表示領域
２１      額縁領域
２４      導光パネル
２５      導光素子
２７      板バネ
２８      ストッパ
２８ａ    停止用凹部
２８ｂ    突起
２８ｃ    スライド方向内壁
３０      ガイドプレート
３１      第１ガイドピン
３２      第２ガイドピン
３３      第１ガイド孔
３４      第２ガイド孔
４１      第３ガイドピン
４２      第４ガイドピン
４３      第３ガイド孔
４４      第４ガイド孔
５０      第５ガイド孔
５１      連結部
５２      第５ガイドピン
６０      保護カバー
１０１      折畳み式携帯端末
１０６      ヒンジ部
１２８ｂ    Ｌ字状突起
１２８ｃ    接触防止用凹部
【図１】
2011119830.tif 000003
【図２】
2011119830.tif 000004
【図３】
2011119830.tif 000005
【図４】
2011119830.tif 000006
【図５】
2011119830.tif 000007
【図６】
2011119830.tif 000008
【図７】
2011119830.tif 000009
【図８】
2011119830.tif 000010
【図９】
2011119830.tif 000011
【図１０】
2011119830.tif 000012
【図１１】
2011119830.tif 000013
【図１２】
2011119830.tif 000014
【図１３】
2011119830.tif 000015
【図１４】
2011119830.tif 000016
【図１５】
2011119830.tif 000017
【図１６】
2011119830.tif 000018
【図１７】
2011119830.tif 000019
【図１８】
2011119830.tif 000020
【図１９】
2011119830.tif 000021
【図２０】
2011119830.tif 000022
【図２１】
2011119830.tif 000023
【図２２】
2011119830.tif 000024
【図２３】
2011119830.tif 000025
【図２４】
2011119830.tif 000026
【図２５】
2011119830.tif 000027
【図２６】
2011119830.tif 000028
【図２７】
2011119830.tif 000029